(57)【要約】【課題】本発明は、カバーの脱着が円滑に行える分電盤のカバー係合構造を提供することを目的としている。【解決手段】本発明に係る分電盤のカバー係合構造は、カバー５にはばね等で付勢された係合体８を設け、基台４には係合体８と係合する係合片４ａを設け、係合体８は扉体６の開閉動作に連動して可動であり、扉体６を閉じたときに係合体８は係合片４ａに係合することを特徴とし、扉体６を閉じたときにカバー５が基台４に係合し、カバー５が浮いたりせず、分電盤への異物等の進入を防止することができる。【選択図】図２
2006202902.tif 000002
【特許請求の範囲】
【請求項１】
基台に各種電気機器を収納し、前記基台の前面はカバーで被覆し、さらに扉体で施蓋して成る分電盤のカバーの係合構造であって、前記カバーにはばね等で付勢された係合体を設け、前記基台には前記係合体と係合する係合片を設け、前記係合体は前記扉体の開閉動作に連動して可動であり、前記扉体を閉じたときに前記係合体は前記係合片に係合することを特徴とする分電盤のカバーの係合構造。
【請求項２】
前記分電盤のカバーの係合構造であって、前記係合体は回動動作により可動であり、前記扉体を閉じる動作で前記扉体端部に前記係合体は押され回動し、前記基台に設けられている係合片に係合し、前記カバーを前記基台に固定させることを特徴とする請求項１に記載の分電盤のカバーの係合構造。
【請求項３】
前記分電盤のカバーの係合構造であって、前記係合体は摺動動作により可動であり、前記扉体を閉じる動作で前記扉体端部に前記係合体は押され摺動し、前記基台に設けられている係合片に係合し、前記カバーを前記基台に固定させることを特徴とする請求項１に記載の分電盤のカバーの係合構造。
【発明の詳細な説明】
【技術分野】
【０００１】
本発明は、基台に各種電気機器を収納し、基台の前面はカバーで被覆し、さらに扉体で施蓋して成る分電盤の扉体の係合構造に関するものである。
【背景技術】
【０００２】
基台の前面開口を被覆するカバーは、左右両脇または、下部の端寄りに脱着つめを設け、手で脱着つめを動作させることでカバーを基台に勘合させたり、勘合を解除したりしていた。大型の分電盤の場合、脱着つめだけではカバーの中央部分が浮き上がってしまい隙間ができ塵埃等の異物進入の虞があった。
【０００３】
そこで、特に大型の分電盤３１には、基台３２の下方中央部に仮の勘合つめ３３を設けていた。カバー３４を基台３２に取り付けたとき仮の勘合つめ３３を弾性力によりカバー３４に引っ掛け、カバー３４と基台３２の間に隙間ができないようにする方法がとられていた。
【非特許文献１】カワムラカタログ電設資材編ＮＯ．３４平成１５年５月１日改訂
【発明の開示】
【発明が解決しようとする課題】
【０００４】
しかしながら上記従来技術における仮の勘合つめは、弾性のみでカバーに引っ掛けるため、勘合が弱いと隙間が空いてしまい、また、勘合が強いとカバーを取り外すときに容易に外れず、誤って仮の勘合つめの周囲部分を破損してしまう虞があった。
【課題を解決するための手段】
【０００５】
そこで本発明は、カバーの脱着が円滑に行える分電盤のカバー係合構造を提供することを目的とし、その構造は、カバーにはばね等で付勢された係合体を設け、基台には係合体と係合する係合片を設け、係合体は扉体の開閉動作に連動して可動であり、扉体を閉じたときに係合体は係合片に係合することを特徴とする。
【０００６】
また、係合体は回動動作により可動であり、扉体を閉じる動作で扉体端部に係合体は押され回動し、基台に設けられている係合片に係合し、カバーを基台に固定させることを特徴とする。
【０００７】
また、係合体は摺動動作により可動であり、扉体を閉じる動作で扉体端部に係合体は押され摺動し、基台に設けられている係合片に係合し、カバーを基台に固定させることを特徴とする。
【発明の効果】
【０００８】
本発明に係る分電盤の扉体係合構造は、カバーにはばね等で付勢された係合体を設け、基台には係合体と係合する係合片を設け、係合体は扉体の開閉動作に連動して可動であり、扉体を閉じたときに係合体は係合片に係合するため、従来のように仮の勘合つめの強弱に影響されず、円滑にカバーの脱着が行え、作業性が向上する。また、従来のものでは、仮の脱着つめが弾性力にのみ頼って脱着つめを外しただけでカバーを外すことができなくてはならなかったが、本発明に係るつめでは扉体の動作により係合したり係合を解除したりできるので、確実に基台とカバーとを係合でき確実に閉じることが出来る。
【０００９】
また、係合体は回動動作により可動であり、扉体を閉じる動作で扉体端部に係合体は押され回動し、基台に設けられている係合片に係合し、カバーを基台に固定させるため、従来のように仮の勘合つめの強弱に影響されず、円滑にカバーの脱着が行え、作業性が向上する。また、従来のものでは、仮の脱着つめが弾性力にのみ頼って脱着つめを外しただけでカバーを外すことができなくてはならなかったが、本発明に係るつめでは扉体の動作により係合したり係合を解除したりできるので、確実に基台とカバーとを係合でき確実に閉じることが出来る。
【００１０】
また、係合体は摺動動作により可動であり、扉体を閉じる動作で扉体端部に係合体は押され摺動し、基台に設けられている係合片に係合し、カバーを基台に固定させるため、従来のように仮の勘合つめの強弱に影響されず、円滑にカバーの脱着が行え、作業性が向上する。また、従来のものでは、仮の脱着つめが弾性力にのみ頼って脱着つめを外しただけでカバーを外すことができなくてはならなかったが、本発明に係るつめでは扉体の動作により係合したり係合を解除したりできるので、確実に基台とカバーとを係合でき確実に閉じることが出来る。
【発明を実施するための最良の形態】
【００１１】
カバーの脱着を円滑に行うという目的を、最小の部品点数で、機構的につめの係合を確実に実現した。
【実施例１】
【００１２】
本発明に係る分電盤の扉体係合構造の実施例を図１〜図２の添付図面に基づいて説明する。
【００１３】
分電盤１のキャビネット２はブレーカ３等の電気機器を載置する基台４と、基台４の前面開口を被覆するカバー５と、さらに前面を施蓋する扉体６とで構成される。カバー５は左右両側に勘合つめ７を設け、勘合つめ７を手で動作させることにより、カバー５を基台４に勘合させたりその勘合を解除したりできる。分電盤１のキャビネット２が大型である場合には、キャビネット２の長手方向の中央部に隙間ができる虞があるため隙間ができないように係合体８を設ける。
【００１４】
係合体８はカバー５に設け、基台４には係合体８と係合する係合片４ａを設ける。係合体８は扉体６の開閉動作に連動して可動であり、扉体６を閉じたときに係合体８は係合片４ａに係合するものである。係合体８はばね等で付勢すると、扉体６を開くと係合が解除され、係合体８が元の位置に戻る。
【実施例２】
【００１５】
本発明に係る分電盤のカバー係合構造の実施例２は、実施例１において、係合体８は、一端には先端をテーパー状に形成したつめ部８ａを設け、他端には係合部８ｂを設ける。係合体８は、カバー５に取り付けられていて、回動動作により可動である。カバー５には突出孔９を設け、この突出孔９からつめ部８ａを突出させる。係合体８は、扉体６が開放されている状態では、つめ部８ａが下方へ向かうようばね等で付勢する。つめ部８ａに対向して、扉体６内側にもテーパー部６ａを形成する。基台４の開口端部には係合片４ａが設けられる。
【００１６】
扉体６を閉じるとき、扉体６に設けられたテーパー部６ａにつめ部８ａの先端のテーパーが掛かり、テーパーがテーパー部６ａを伝ってつめ部８ａが起き上がり、係合部８ｂが基台４に設けられた係合片４ａに係合し、扉体６を閉めたときにカバー５を基台４に固定することができる。また、係合体８はばねにより付勢されているので、扉体６を開けたときに、元の位置に戻る。
【実施例３】
【００１７】
本発明に係る分電盤のカバー係合構造は、実施例２に示したような、係合体８の回動によりカバー５を基台４に係合させる形状に限定されるものではなく、例えば扉体の一部がカバーに設けられた係合体を摺動動作により移動させ基台に係合させるというように、本発明の趣旨を逸脱しない範囲において適宜変更可能である。また、この場合にも係合体はばね等により付勢されており、扉体を開ける動作に従って基台への係合を解除する。
【産業上の利用可能性】
【００１８】
配線作業等で分電盤のカバーを外すとき、扉体を閉じる動作に連動してカバーの基台への係合がされ、また、扉体を開ける動作によりカバーの基台への係合されたりするため、特別な動作の必要もなく、確実にカバーを基台に留めることと、基台への係合の解除ができ、扉体を閉じた状態でのカバーの係合を確実にし、特にキャビネットが大型の分電盤に適用できる。
【図面の簡単な説明】
【００１９】
【図１】本発明に係る分電盤のカバー係合構造を示す説明図である。（実施例１、実施例２）
【図２】本発明に係る分電盤のカバ係合構造を示す一部断面図である。（実施例１、実施例２）
【図３】従来の分電盤のカバー係合構造を示す説明図である。
【符号の説明】
【００２０】
１    分電盤
２    キャビネット
３    ブレーカ
４    基台
４ａ  係合片
５    カバー
６    扉体
６ａ  テーパー部
７    勘合つめ
８    係合体
８ａ  つめ部
８ｂ  係合部
９    突出孔
【図１】
2006202902.tif 000003
【図２】
2006202902.tif 000004
【図３】
2006202902.tif 000005